(57)【要約】    【課題】      目隙によって美観が損われるのを防止でき、加工の手間とコストとを大幅に軽減できる、内装用化粧パネルおよびその製造方法を提供する。    【解決手段】  内装用化粧パネル１０は、化粧面Ａを有する上層部１２と、上層部１２の下方にこれと一体的に形成された下層部１４とによって構成されている。上層部１２の各辺は直線状であり、下層部１４の各辺は上層部１２の各辺から突出した雄実１６と上層部１２の各辺から入込んだ雌実１８とを境界部２０を介して連続させることによって構成されており、各辺の雄実１６および雌実１８は下層部１４の中心点に対して点対象の位置に配設されている。内装用化粧パネル１０を製造する際には、略正方形のパネル基材が準備され、このパネル基材の各辺に雄実１６および雌実１８が回転刃物で切削加工される。【選択図】        図１
2006083566.tif 000002
【特許請求の範囲】
【請求項１】
化粧面を有する上層部と、前記上層部の下方にこれと一体的に形成された下層部とを備える略正方形の内装用化粧パネルであって、
前記上層部の各辺は直線状であり、前記下層部の各辺は前記上層部の各辺から突出した雄実と前記上層部の各辺から入込んだ雌実とを境界部を介して連続させることによって構成されており、各辺の前記雄実および前記雌実は前記下層部の中心点に対して点対象の位置に配設されている、内装用化粧パネル。
【請求項２】
前記境界部は曲線状である、請求項１に記載の内装用化粧パネル。
【請求項３】
前記下層部は上下２段に構成されており、上段の雄実の下に下段の雌実が配設されており、かつ、上段の雌実の下に下段の雄実が配設されている、請求項１または２に記載の内装用化粧パネル。
【請求項４】
（ａ）化粧面を有する上層部と、前記上層部の下方にこれと一体的に形成された下層部とを備える略正方形のパネル基材を準備し、
（ｂ）前記パネル基材の各辺を一方端から中央部へ向けて切削加工することによって、前記下層部に前記上層部の各辺から突出した雄実を形成するとともに、
（ｃ）前記パネル基材の各辺を他方端から中央部へ向けて切削加工することによって、前記下層部に前記上層部の各辺から入込んだ雌実を形成する、内装用化粧パネルの製造方法。
【請求項５】
前記（ｂ）工程および前記（ｃ）工程では、各辺の前記雄実および前記雌実を前記下層部の中心点に対して点対象の位置に形成する、請求項４に記載の内装用化粧パネルの製造方法。
【請求項６】
前記（ｂ）工程および前記（ｃ）工程では、前記化粧面に対して垂直な回転軸に取り付けられた回転刃物を用いて前記雄実および前記雌実を切削加工する、請求項４または５に記載の内装用化粧パネルの製造方法。
【発明の詳細な説明】
【技術分野】
【０００１】
本発明は、建築物の壁、床または天井等の内装の仕上げ面を構成する内装用化粧パネルおよびその製造方法に関する。
【背景技術】
【０００２】
この種の内装用化粧パネルの一例が、実公平７−５１４１号公報（特許文献１）に開示されている。この従来技術では、パネルの側縁に係合凹部（５）と嵌合凸部（６）とが形成されており、２枚のパネルを互いに接合する際には、一方のパネルの係合凹部（５）と他方のパネルの嵌合凸部（６）とを重ね合わせるようにしていた。
【特許文献１】実公平７−５１４１号公報
【発明の開示】
【発明が解決しようとする課題】
【０００３】
従来技術（特許文献１）によれば、隣接するパネル間に目隙が生じた場合でも、下地が直接見えることがないため、美観が損われるのを防止できるという利点がある。しかし、裏打ち板（２）と表面板（１）とを貼り合わせることによって構成されていたので、加工に手間とコストがかかるという問題があった。また、パネルに過大な寸法変化が生じた場合には、裏打ち板（２）から表面板（１）が剥がれてしまうという問題もあった。
【０００４】
それゆえに、この発明の目的は、目隙によって美観が損われるのを防止でき、加工の手間とコストとを軽減でき、しかも、下層部（裏打ち板）から上層部（表面板）が剥がれるといった問題を生じない内装用化粧パネルおよびその製造方法を提供することである。
【課題を解決するための手段】
【０００５】
請求項１に記載した発明は、「化粧面Ａを有する上層部１２と、上層部１２の下方にこれと一体的に形成された下層部１４とを備える略正方形の内装用化粧パネル１０であって、上層部１２の各辺は直線状であり、下層部１４の各辺は上層部１２の各辺から突出した雄実１６と上層部１２の各辺から入込んだ雌実１８とを境界部２０を介して連続させることによって構成されており、各辺の雄実１６および雌実１８は下層部の中心点に対して点対象の位置に配設されている、内装用化粧パネル１０」である。
【０００６】
この発明では、上層部１２と下層部１４とが一体的に形成されているので、上層部１２と下層部１４とを貼り合せる必要はなく、加工の手間とコストとを軽減できる。また、複数の内装用化粧パネル１０を互いに接合する際には、雄実１６と雌実１８とが嵌め合わされるので、目隙が生じた場合でも下地が直接見えることはない。
【０００７】
請求項２に記載した発明は、請求項１に記載した「内装用化粧パネル１０」であって、「境界部２０は曲線状である」ことを特徴とする。
【０００８】
この発明では、雄実１６と雌実１８との境界部２０が曲線状であるため、応力集中を回避して割れや欠けを防止できる。また、複数の内装用化粧パネル１０を互いに接合する際には、雄実１６を境界部２０に滑らせながら簡単に位置決めすることができる。
【０００９】
請求項３に記載した発明は、請求項１または２に記載した「内装用化粧パネル１０」であって、「下層部１４は上下２段に構成されており、上段１４ａの雄実１６の下に下段１４ｂの雌実１８が配設されており、かつ、上段１４ａの雌実１８の下に下段１４ｂの雄実１６が配設されている」ことを特徴とする。
【００１０】
この発明では、下層部１４が上下２段に構成されており、複数の内装用化粧パネル１０を互いに接合する際には、上段１４ａおよび下段１４ｂのそれぞれの雄実１６と雌実１８とが嵌め合わされる。
【００１１】
請求項４に記載した発明は、「（ａ）化粧面Ａを有する上層部１２と、上層部１２の下方にこれと一体的に形成された下層部１４とを備える略正方形のパネル基材２２，３４を準備し、（ｂ）パネル基材２２，３４の各辺を一方端から中央部へ向けて切削加工することによって、下層部１４に上層部１２の各辺から突出した雄実１６を形成するとともに、（ｃ）パネル基材２２，３４の各辺を他方端から中央部へ向けて切削加工することによって、下層部１４に上層部１２の各辺から入込んだ雌実１８を形成する、内装用化粧パネル１０の製造方法」である。
【００１２】
この発明では、一枚のパネル基材２２，３４に雄実１６と雌実１８とを切削加工することによって、上層部１２と下層部１４とが一体化された内装用化粧パネル１０を簡単に得ることができる。なお、（ｂ）工程または（ｃ）工程のいずれを先に行うかは、製造者において任意に選択できる事項であり、特に限定されるものではない。
【００１３】
請求項５に記載した発明は、請求項４に記載した「内装用化粧パネル１０の製造方法」であって、「（ｂ）工程および（ｃ）工程では、各辺の雄実１６および雌実１８を下層部１４の中心点に対して点対象の位置に形成する」ことを特徴とする。
【００１４】
この発明では、各辺の雄実１６および雌実１８が下層部１４の中心点に対して点対象の位置に配設されるので、互いに隣接する２枚の内装用化粧パネル１０間において当接する辺を任意に選択することができるとともに、安定した接合状態を得ることができる。
【００１５】
請求項６に記載した発明は、請求項４または５に記載した「内装用化粧パネル１０の製造方法」であって、「（ｂ）工程および（ｃ）工程では、化粧面Ａに対して垂直な回転軸２６，３０，３８，４２に取り付けられた回転刃物２４，２８，３６，４０を用いて雄実１６および雌実１８を切削加工する」ことを特徴とする。
【００１６】
この発明では、回転刃物２４，２８，３６，４０で雄実１６および雌実１８を形成するようにしているので、加工が容易であり、また、境界部２０を回転刃物２８，３６，４０の回転円に合致する曲線状に形成することができる。
【発明の効果】
【００１７】
本発明によれば、上層部と下層部とが一体的に形成されているので、下層部から上層部が剥がれるといった問題を回避できるとともに、加工の手間とコストを大幅に軽減できる。また、内装用化粧パネルを互いに接合する際には、雄実と雌実とが嵌め合わされるので、目隙が生じた場合でも下地が直接見えるのを防止できる。
【発明を実施するための最良の形態】
【００１８】
図１〜図４には、本発明が適用された内装用化粧パネル１０の一実施例を示している。この内装用化粧パネル１０は、図５に示すように、複数枚を組み合わせることによって、建築物の壁、床または天井等の内装の仕上げ面を構成するものであり、化粧面Ａを有する上層部１２と、上層部１２の下方にこれと一体的に形成された下層部１４とを備えており、全体として略正方形の板状に形成されている。
【００１９】
上層部１２は、隣接する他の内装用化粧パネル１０の上層部１２と隙間なく連続する部分であり、上層部１２の各辺は直線状に形成されている。
【００２０】
下層部１４は、隣接する他の内装用化粧パネル１０との接合状態を保持する部分であり、下層部１４の各辺は、上層部１２の各辺から突出した雄実１６と上層部１２の各辺から入込んだ雌実１８とを境界部２０を介して連続させることによって構成されており、各辺の雄実１６および雌実１８は、下層部１４の中心点に対して点対象の位置に配設されている。
【００２１】
なお、境界部２０の形状は、直線状または曲線状のいずれであってもよいが、応力集中を回避できる点や、雄実１６を滑らせながら位置決めできる点において、曲線状であることが望ましい。
【００２２】
また、内装用化粧パネル１０の材料としては、特に限定されるものではないが、挽材、合板、木質繊維板（ＩＢ，ＭＤＦ等）、木削片板（パーティクルボード、ストランドボード、ＯＳＢ等）、集成材、単板積層材等の木質系材料、火山性ガラス質複層板、鉱物質繊維板、珪酸カルシウム板、スラグ石膏板、石材等の無機質材料、硬質塩化ビニール樹脂、ＡＢＳ樹脂、ＰＳ樹脂（ポリスチレン樹脂）等の合成樹脂材料、ステンレス、アルミ等の金属系材料等が用いられ得る。
【００２３】
内装用化粧パネル１０を製造する際には、まず、化粧面Ａを有する上層部１２と、上層部１２の下方にこれと一体的に形成された下層部１４とを備える略正方形のパネル基材２２を準備する。そして、図６（Ａ）に示すように、パネル基材２２の各辺を一方端から中央部へ向けて回転刃物２４で切削加工することによって、下層部１４に上層部１２の各辺から突出した雄実１６（図６（Ｂ））を形成する。雄実１６の加工に用いる回転刃物２４は、化粧面Ａに対して垂直な回転軸２６に取り付けられた円盤状の本体２４ａを有しており、本体２４ａの外周面には切削刃２４ｂが設けられている。
【００２４】
雄実１６を加工した後は、図６（Ｃ）に示すように、パネル基材２２の各辺を他方端から中央部へ向けて回転刃物２８で切削加工することによって、下層部１４に上層部１２の各辺から入込んだ雌実１８を形成するとともに、雄実１６と雌実１８との間に曲線状の境界部２０を形成する。雌実１８の加工に用いる回転刃物２８は、化粧面Ａに対して垂直な回転軸３０に取り付けられた円盤状の本体２８ａを有しており、本体２８ａの外周面には切削刃２８ｂが設けられている。
【００２５】
下層部１４の一辺に雄実１６および雌実１８を形成した後は、下層部１４の中心点に対して点対象となるようにして、他の三辺にもこれらを同じ工程を経て形成する。なお、この実施例では、雄実１６を雌実１８より先に形成しているが、これとは逆に、雌実１８を雄実１６より先に形成してもよいし、同時に形成してもよい。
【００２６】
この実施例によれば、内装用化粧パネル１０の上層部１２と下層部１４とが一体的に形成されているので、これらを貼り合せていた従来技術に比べて、加工の手間とコストを大幅に軽減できる。
【００２７】
また、内装用化粧パネル１０どうしを接合する際には、雄実１６と雌実１８とが嵌め合わされるので、目隙が生じた場合でも下地が直接見えることはなく、美観が損われる心配はない。そして、内装用化粧パネル１０を下地材に固定する際には、雄実１６および雌実１８に対してタッカーやフィニッシュネイルを打つことができるので、打ち位置の自由度を高めることができる。
【００２８】
また、境界部２０を曲線状に形成しているので、応力集中を回避して割れや欠けを防止できるとともに、雄実１６を境界部２０に滑らせながら簡単に位置決めすることができる。
【００２９】
さらに、各辺の雄実１６および雌実１８が下層部１４の中心点に対して点対象の位置に配設されているので、互いに隣接する２枚の内装用化粧パネル１０間において当接する辺を任意に選択することができる。
【００３０】
なお、上述の実施例では、下層部１４を一段に構成しているが、図７〜図１０に示す内装用化粧パネル３２のように、下層部１４を上下二段（または三段以上）に構成してもよい。この場合には、上段１４ａの雄実１６の下に下段１４ｂの雌実１８が配設され、上段１４ａの雌実１８の下に下段１４ｂの雄実１６が配設される。そして、仕上げ面を構成する際には、図１１に示すように、互いに隣接する内装用化粧パネル３２間において、上段１４ａおよび下段１４ｂのそれぞれの雄実１６と雌実１８とが嵌め合わされる。
【００３１】
内装用化粧パネル３２（図７）を製造する際には、まず、略正方形のパネル基材３４を準備する。そして、図１２（Ａ）に示すように、パネル基材３４の各辺を一方端から中央部へ向けて回転刃物３６で切削加工することによって、下層部１４に上段１４ａの雌実１８と下段１４ｂの雄実１６（図８（Ｂ））とを形成する。回転刃物３６は、化粧面Ａに対して垂直な回転軸３８に取り付けられた円盤状の本体３６ａを有しており、本体３６ａの外周面には切削刃３６ｂが設けられている。
【００３２】
上段１４ａの雌実１８と下段１４ｂの雄実１６とを加工した後は、図８（Ｃ）に示すように、パネル基材３４の各辺を他方端から中央部へ向けて回転刃物４０で切削加工することによって、下層部１４に上段１４ａの雄実１６と下段１４ｂの雌実１８とを形成するとともに、曲線状の境界部２０を形成する。回転刃物４０は、化粧面Ａに対して垂直な回転軸４２に取り付けられた円盤状の本体４０ａを有しており、本体４０ａの外周面には切削刃４０ｂが設けられている。
【００３３】
下層部１４の一辺に雄実１６および雌実１８を形成した後は、下層部１４の中心点に対して点対象となるようにして、他の三辺にもこれらを同じ工程を経て形成する。なお、この実施例においても、上段１４ａの雄実１６と下段１４ｂの雌実１８とを上段１４ａの雌実１８と下段１４ｂの雄実１６より先に形成してもよいし、これらを同時に形成してもよいことは言うまでもない。
【図面の簡単な説明】
【００３４】
【図１】内装用化粧パネルを示す平面図である。
【図２】図１におけるII-II断面図である。
【図３】図１におけるIII-III断面図である。
【図４】内装用化粧パネルを示す斜視図である。
【図５】内装用化粧パネルの使用状態を示す平面図である。
【図６】内装用化粧パネルの製造方法を示す工程図である。
【図７】他の内装用化粧パネルを示す平面図である。
【図８】図７におけるVIII-VIII断面図である。
【図９】図７におけるIX-IX断面図である。
【図１０】他の内装用化粧パネルを示す斜視図である。
【図１１】他の内装用化粧パネルの使用状態を示す平面図である。
【図１２】他の内装用化粧パネルの製造方法を示す工程図である。
【符号の説明】
【００３５】
１０，３２…  内装用化粧パネル
１２…  上層部
１４…  下層部
１４ａ…  上段
１４ｂ…  下段
１６…  雄実
１８…  雌実
２０…  境界部
２２，３４…  パネル基材
２４，２８，３６，４０…  回転刃物
【図１】
2006083566.tif 000003
【図２】
2006083566.tif 000004
【図３】
2006083566.tif 000005
【図４】
2006083566.tif 000006
【図５】
2006083566.tif 000007
【図６】
2006083566.tif 000008
【図７】
2006083566.tif 000009
【図８】
2006083566.tif 000010
【図９】
2006083566.tif 000011
【図１０】
2006083566.tif 000012
【図１１】
2006083566.tif 000013
【図１２】
2006083566.tif 000014